(57)【特許請求の範囲】
【請求項１】
複数の着信シチュエーションを一覧表示した着信シチュエーション選択画面を表示装置へ出力する着信シチュエーション選択画面出力手段と、
前記着信シチュエーション選択画面上で、ユーザからいずれか１つの前記着信シチュエーションの選択を受け付けることにより、選択された着信シチュエーションに応じた仮想的な電話の着信指示を受け付ける着信指示受付手段と、
前記着信指示受付手段によって、前記仮想的な電話の着信指示を受け付けた場合に、着信通知を行う着信通知手段と、
前記着信通知手段による前記着信通知の後、ユーザから着信に対する応答指示を受け付ける応答指示受付手段と、
前記応答指示受付手段によって応答指示を受け付けたときに、電子媒体に記録されている通話音声データの中から、前記着信指示受付手段で受け付けた前記着信シチュエーションに応じた前記通話音声データを取得する通話音声データ取得手段と、
前記通話音声データ取得手段によって取得された前記通話音声データをそのまま出力する通話音声出力手段とを備えることを特徴とする仮想電話着信装置。
【請求項２】
請求項１に記載の仮想電話着信装置において、
前記通話音声データは、それぞれの前記着信シチュエーションに関連付けて前記電子媒体に記録されており、
前記通話音声データ取得手段は、前記着信指示受付手段が選択を受け付けた前記着信シチュエーションに関連付けて記録されている前記通話音声データを前記電子媒体から取得することを特徴とする仮想電話着信装置。
【請求項３】
請求項１または２に記載の仮想電話着信装置において、
ユーザからの発話により入力される音声データを取得する音声データ取得手段と、
前記音声データ取得手段によって取得された前記音声データを前記通話音声データとして前記電子媒体に記録する通話音声データ記録手段とをさらに備えることを特徴とする仮想電話着信装置。
【請求項４】
請求項３に記載の仮想電話着信装置において、
前記音声データ取得手段によって取得された前記音声データを所定のアルゴリズムで変換して前記通話音声データを生成する通話音声データ生成手段をさらに備え、
前記通話音声データ記録手段は、前記通話音声データ生成手段によって変換された前記音声データを前記通話音声データとして前記電子媒体に記録することを特徴とする仮想電話着信装置。
【請求項５】
請求項１〜４のいずれか一項に記載の仮想電話着信装置において、
前記着信通知手段は、あらかじめ前記電子媒体に記録されている着信時表示データの中から、前記着信指示受付手段により着信指示を受け付けた前記着信シチュエーションに応じた前記着信時表示データを取得し、前記着信時表示データを表示した着信画面を前記表示装置に表示して前記着信通知を行うことを特徴とする仮想電話着信装置。
【請求項６】
請求項５に記載の仮想電話着信装置において、
前記着信通知手段は、前記着信時表示データをアニメーション表示することを特徴とする仮想電話着信装置。
【請求項７】
請求項５または６に記載の仮想電話着信装置において、
前記着信通知手段は、前記着信時表示データとともに、ユーザからの応答指示を受け付けるための応答ボタンを前記着信画面に表示し、
前記応答指示受付手段は、ユーザによる前記応答ボタンの操作を検出して、ユーザからの応答指示を受け付けることを特徴とする仮想電話着信装置。
【請求項８】
請求項１〜７のいずれか一項に記載の仮想電話着信装置において、
前記通話音声出力手段によって前記通話音声データの出力が開始されるときに、前記電子媒体に記録されている通話時表示データの中から、前記着信指示受付手段によって着信指示を受け付けた前記着信シチュエーションに応じた前記通話時表示データを取得し、前記通話時表示データを表示した通話画面を前記表示装置に出力する通話画面出力手段をさらに備えることを特徴とする仮想電話着信装置。
【請求項９】
請求項８に記載の仮想電話着信装置において、
前記通話画面出力手段は、前記通話時表示データをアニメーション表示することを特徴とする仮想電話着信装置。
【請求項１０】
請求項１〜９のいずれか一項に記載の仮想電話着信装置において、
前記着信通知手段は、前記着信指示受付手段によってユーザからの着信指示が受け付けられてから、あらかじめ設定された待機時間が経過した後に、前記着信通知を行うことを特徴とする仮想電話着信装置。
【請求項１１】
請求項１０に記載の仮想電話着信装置において、
ユーザからの指示に基づいて、前記待機時間の設定を行う待機時間設定手段をさらに備えることを特徴とする仮想電話着信装置。
【請求項１２】
請求項１〜１１のいずれか一項に記載の仮想電話着信装置において、
ユーザからの指示に基づいて、前記着信通知を行う時刻の設定を行う通知時刻設定手段をさらに備え、
前記着信通知手段は、前記着信指示受付手段によってユーザからの着信指示が受け付けられた場合は、前記通知時刻設定手段によって設定された時刻に前記着信通知を行うことを特徴とする仮想電話着信装置。
【請求項１３】
請求項１〜１２のいずれか一項に記載の仮想電話着信装置において、
前記着信シチュエーションの追加指示を受け付ける追加指示受付手段と、
前記追加指示受付手段によって、前記着信シチュエーションの追加指示を受け付けた場合には、通信回線を介して接続された外部装置から前記着信シチュエーションの追加のために必要なデータを受信して、前記着信シチュエーションの追加を行う着信シチュエーション追加手段とをさらに備えることを特徴とする仮想電話着信装置。
【請求項１４】
請求項１〜１３のいずれか一項に記載の仮想電話着信装置において、
前記電子媒体は、仮想電話着信装置に内蔵された内部記録媒体、仮想電話着信装置に装着可能な外部記録媒体、および通信回線を介して接続された外部装置が備える記録装置の少なくともいずれかであることを特徴とする仮想電話着信装置。
【請求項１５】
複数の着信シチュエーションを一覧表示した着信シチュエーション選択画面を表示装置へ出力する着信シチュエーション選択画面出力手順と、
前記着信シチュエーション選択画面上で、ユーザからいずれか１つの前記着信シチュエーションの選択を受け付けることにより、選択された着信シチュエーションに応じた仮想的な電話の着信指示を受け付ける着信指示受付手順と、
前記着信指示受付手順で前記仮想的な電話の着信指示を受け付けた場合に、着信通知を行う着信通知手順と、
前記着信通知手順による前記着信通知の後、ユーザから着信に対する応答指示を受け付ける応答指示受付手順と、
前記応答指示受付手順で応答指示を受け付けたときに、電子媒体に記録されている通話音声データの中から、前記着信指示受付手順で受け付けた前記着信シチュエーションに応じた前記通話音声データを取得する通話音声データ取得手順と、
前記通話音声データ取得手順で取得した前記通話音声データをそのまま出力する通話音声出力手順とをコンピュータに実行させるための仮想電話着信プログラム。
【請求項１６】
請求項１５に記載の仮想電話着信プログラムにおいて、
前記通話音声データは、それぞれの前記着信シチュエーションに関連付けて前記電子媒体に記録されており、
前記通話音声データ取得手順は、前記着信指示受付手順で選択を受け付けた前記着信シチュエーションに関連付けて記録されている前記通話音声データを前記電子媒体から取得することを特徴とする仮想電話着信プログラム。
【請求項１７】
請求項１５または１６記載の仮想電話着信プログラムにおいて、
ユーザからの発話により入力される音声データを取得する音声データ取得手順と、
前記音声データ取得手順で取得した前記音声データを前記通話音声データとして前記電子媒体に記録する通話音声データ記録手順とをさらに有することを特徴とする仮想電話着信プログラム。
【請求項１８】
請求項１７に記載の仮想電話着信プログラムにおいて、
前記音声データ取得手順で取得した前記音声データを所定のアルゴリズムで変換して前記通話音声データを生成する通話音声データ生成手順をさらに有し、
前記通話音声データ記録手順は、前記通話音声データ生成手順で変換した前記音声データを前記通話音声データとして前記電子媒体に記録することを特徴とする仮想電話着信プログラム。
【請求項１９】
請求項１５〜１８のいずれか一項に記載の仮想電話着信プログラムにおいて、
前記着信通知手順は、あらかじめ前記電子媒体に記録されている着信時表示データの中から、前記着信指示受付手順で着信指示を受け付けた前記着信シチュエーションに応じた前記着信時表示データを取得し、前記着信時表示データを表示した着信画面を前記表示装置に表示して前記着信通知を行うことを特徴とする仮想電話着信プログラム。
【請求項２０】
請求項１９に記載の仮想電話着信プログラムにおいて、
前記着信通知手順は、前記着信時表示データをアニメーション表示することを特徴とする仮想電話着信プログラム。
【請求項２１】
請求項１９または２０に記載の仮想電話着信プログラムにおいて、
前記着信通知手順は、前記着信時表示データとともに、ユーザからの応答指示を受け付けるための応答ボタンを前記着信画面に表示し、
前記応答指示受付手順は、ユーザによる前記応答ボタンの操作を検出して、ユーザからの応答指示を受け付けることを特徴とする仮想電話着信プログラム。
【請求項２２】
請求項１５〜２１のいずれか一項に記載の仮想電話着信プログラムにおいて、
前記通話音声出力手順で前記通話音声データの出力が開始されるときに、前記電子媒体に記録されている通話時表示データの中から、前記着信指示受付手順で着信指示を受け付けた前記着信シチュエーションに応じた前記通話時表示データを取得し、前記通話時表示データを表示した通話画面を前記表示装置に出力する通話画面出力手順をさらに有することを特徴とする仮想電話着信プログラム。
【請求項２３】
請求項２２に記載の仮想電話着信プログラムにおいて、
前記通話画面出力手順は、前記通話時表示データをアニメーション表示することを特徴とする仮想電話着信プログラム。
【請求項２４】
請求項１５〜２３のいずれか一項に記載の仮想電話着信プログラムにおいて、
前記着信通知手順は、前記着信指示受付手順でユーザからの着信指示を受け付けてから、あらかじめ設定された待機時間が経過した後に、前記着信通知を行うことを特徴とする仮想電話着信プログラム。
【請求項２５】
請求項２４に記載の仮想電話着信プログラムにおいて、
ユーザからの指示に基づいて、前記待機時間の設定を行う待機時間設定手順をさらに有することを特徴とする仮想電話着信プログラム。
【請求項２６】
請求項１５〜２５のいずれか一項に記載の仮想電話着信プログラムにおいて、
ユーザからの指示に基づいて、前記着信通知を行う時刻の設定を行う通知時刻設定手順をさらに有し、
前記着信通知手順は、前記着信指示受付手順でユーザからの着信指示を受け付けた場合は、前記通知時刻設定手順で設定した時刻に前記着信通知を行うことを特徴とする仮想電話着信プログラム。
【請求項２７】
請求項１５〜２６のいずれか一項に記載の仮想電話着信プログラムにおいて、
前記着信シチュエーションの追加指示を受け付ける追加指示受付手順と、
前記追加指示受付手順で前記着信シチュエーションの追加指示を受け付けた場合には、通信回線を介して接続された外部装置から前記着信シチュエーションの追加のために必要なデータを受信して、前記着信シチュエーションの追加を行う着信シチュエーション追加手順とをさらに有することを特徴とする仮想電話着信プログラム。
【請求項２８】
請求項１５〜２７のいずれか一項に記載の仮想電話着信プログラムにおいて、
前記電子媒体は、仮想電話着信装置に内蔵された内部記録媒体、仮想電話着信装置に装着可能な外部記録媒体、および通信回線を介して接続された外部装置が備える記録装置の少なくともいずれかであることを特徴とする仮想電話着信プログラム。
【発明の詳細な説明】
【技術分野】
【０００１】
本発明は、仮想電話着信装置、および仮想電話着信プログラムに関する。
【背景技術】
【０００２】
次のような携帯電話機が知られている。この携帯電話機では、ユーザによる携帯電話機の使用履歴に応じた演出効果を付した仮想的なキャラクターを表示させて、ユーザへの応答を行う（例えば、特許文献１）。
【先行技術文献】
【特許文献】
【０００３】
【特許文献１】特開２００７−２７９３６号公報
【発明の概要】
【発明が解決しようとする課題】
【０００４】
しかしながら、従来の携帯電話機は、ユーザによる携帯電話機の使用履歴に応じた演出効果を付した仮想的なキャラクターを表示させるものであり、ユーザに対して仮想的な電話をかけることは想定されていなかった。また、ユーザが好みのタイミングで、現在の着信シチュエーションに応じた仮想的な電話をかけるように指示することはできなかった。
【課題を解決するための手段】
【０００５】
本発明による仮想電話着信装置は、複数の着信シチュエーションを一覧表示した着信シチュエーション選択画面を表示装置へ出力する着信シチュエーション選択画面出力手段と、着信シチュエーション選択画面上で、ユーザからいずれか１つの着信シチュエーションの選択を受け付けることにより、選択された着信シチュエーションに応じた仮想的な電話の着信指示を受け付ける着信指示受付手段と、着信指示受付手段によって、仮想的な電話の着信指示を受け付けた場合に、着信通知を行う着信通知手段と、着信通知手段による着信通知の後、ユーザから着信に対する応答指示を受け付ける応答指示受付手段と、応答指示受付手段によって応答指示を受け付けたときに、電子媒体に記録されている通話音声データの中から、着信指示受付手段で受け付けた着信シチュエーションに応じた通話音声データを取得する通話音声データ取得手段と、通話音声データ取得によって取得された通話音声データをそのまま出力する通話音声出力手段とを備えることを特徴とする。
本発明による仮想電話着信プログラムは、複数の着信シチュエーションを一覧表示した着信シチュエーション選択画面を表示装置へ出力する着信シチュエーション選択画面出力手順と、着信シチュエーション選択画面上で、ユーザからいずれか１つの着信シチュエーションの選択を受け付けることにより、選択された着信シチュエーションに応じた仮想的な電話の着信指示を受け付ける着信指示受付手順と、着信指示受付手順で仮想的な電話の着信指示を受け付けた場合に、着信通知を行う着信通知手順と、着信通知手順による着信通知の後、ユーザから着信に対する応答指示を受け付ける応答指示受付手順と、応答指示受付手順で応答指示を受け付けたときに、電子媒体に記録されている通話音声データの中から、着信指示受付手順で受け付けた着信シチュエーションに応じた通話音声データを取得する通話音声データ取得手順と、通話音声データ取得手順で取得した通話音声データをそのまま出力する通話音声出力手順とをコンピュータに実行させるためのプログラムである。
【発明の効果】
【０００６】
本発明によれば、ユーザは、仮想的な電話の着信を希望するタイミングで着信指示を行うことができる。また、複数の着信シチュエーションの中から１つの着信シチュエーションを選択して着信指示を行うことができるため、現在のシチュエーションに合った通話内容を選択して、仮想的な電話の着信を指示することができる。
【図面の簡単な説明】
【０００７】
【図１】仮想電話着信装置１００の一実施の形態の構成を示すブロック図である。
【図２】着信シチュエーション選択画面の一例を示す図である。
【図３】着信指示ユーザによって「言うことを聞かない時」ボタン２ａがタッチされたときに表示される着信画面と通話画面の一例を示した図である。
【図４】着信指示ユーザによって「寝ない時」ボタン２ｂがタッチされたときに表示される着信画面と通話画面の一例を示した図である。
【図５】着信指示ユーザによって「歯磨きをしない時」ボタン２ｃがタッチされたときに表示される着信画面と通話画面の一例を示した図である。
【図６】着信指示ユーザによって「お片付けをしない時」ボタン２ｄがタッチされたときに表示される着信画面と通話画面の一例を示した図である。
【図７】着信指示ユーザによって「痛くて泣きやまない時」ボタン２ｅがタッチされたときに表示される着信画面と通話画面の一例を示した図である。
【図８】着信指示ユーザによって「お薬を飲まない時」ボタン２ｆがタッチされたときに表示される着信画面と通話画面の一例を示した図である。
【図９】仮想的な着信処理の流れを示すフローチャート図である。
【図１０】タイマ設定画面の一例を示す図である。
【発明を実施するための形態】
【０００８】
図１は、本実施の形態における仮想電話着信装置１００の一実施の形態の構成を示すブロック図である。仮想電話着信装置１００としては、例えばスマートフォン、携帯電話、タブレット端末、ＰＤＡ、パソコン等の情報端末が用いられる。なお、図１は、仮想電話着信装置１００としてスマートフォンを用いた場合の一実施の形態の構成を示すブロック図である。
【０００９】
仮想電話着信装置１００は、タッチパネル１０１と、通信モジュール１０２と、マイク１０３と、制御装置１０４と、スピーカー１０５とを備えている。
【００１０】
タッチパネル１０１は、液晶パネル等の表示装置とタッチパッドのような位置入力装置を組み合わせた電子部品であり、画面上の表示を押すことで機器を操作することができる入力装置である。例えば、仮想電話着信装置１００のユーザは、液晶パネル上に表示されたボタンやメニュー等の表示項目を指やタッチペンを用いてタッチまたはスライドさせることにより、仮想電話着信装置１００を操作することができる。タッチパネル１０１は、ユーザによるタッチやスライドといった操作を検出して、その検出信号を制御装置１０４へ出力する。
【００１１】
通信モジュール１０２は、無線または有線により、ＬＡＮや携帯電話通信網を介してインターネットに接続するためのモジュールが用いられる。
【００１２】
マイク１０３は、ユーザによる発話音声を入力するための集音装置である。マイク１０３から入力されたアナログデータは、制御装置１０４でデジタル信号に変換される。
【００１３】
制御装置１０４は、ＣＰＵ、メモリ、およびその他の周辺回路によって構成され、仮想電話着信装置１００の全体を制御する。なお、制御装置１０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、仮想電話着信装置１００を動作させるためのファームウェアや種々のアプリケーションを動作させるためのソフトウェアのプログラムデータが記録される。
【００１４】
本実施の形態では、この不揮発性のメモリに、スマートフォンを本実施の形態における仮想電話着信装置１００として動作させるための仮想電話着信アプリケーションのプログラムが記録されている。なお、仮想電話着信アプリケーションのプログラムは、インターネットを介して接続されたサーバ上で公開されることにより提供されるものとし、ユーザは、これをダウンロードにより入手してあらかじめインストールしておく。あるいは、仮想電話着信アプリケーションのプログラムは、ＣＤ−ＲＯＭやＤＶＤ−ＲＯＭ等の記録媒体に記録されて提供されるようにしてもよい。
【００１５】
スピーカー１０５は、音声を出力するための出力装置である。制御装置１０４は、他のユーザから着信があった場合の音声データや、後述するように、不揮発性メモリに記録されている通話用音声データをスピーカー１０５を介して出力する。
【００１６】
本実施の形態における仮想電話着信装置１００では、ユーザは、あらかじめ設定されている着信シチュエーションの中から、現在のシチュエーションに合ったものを１つ選択して、選択した着信シチュエーションに応じた仮想的な電話の着信を指示することができる。ここで、本実施の形態における仮想的な電話の着信とは、他の電話加入者からの通常の着信とは異なり、第三者からの着信がなくても、あたかも仮想電話着信装置１００に第三者からの着信があったように疑似的に制御して行う着信を意味する。以下、本実施の形態の仮想電話着信装置１００における処理について説明する。
【００１７】
ユーザは、上述したように、仮想電話着信装置１００にあらかじめ仮想電話着信アプリケーションをインストールした上で、タッチパネル１０１に表示されている仮想電話着信アプリケーションのアイコンにタッチすることにより、仮想電話着信アプリケーションの起動を指示することができる。制御装置１０４は、ユーザによって仮想電話着信アプリケーションの起動が指示されたことを検出した場合には、図２に示す着信シチュエーション選択画面をタッチパネル１０１に表示する。
【００１８】
本実施の形態では、子供のしつけをサポートするために、子供のわがままでありがちな複数の着信シチュエーションがあらかじめ用意されている。本実施の形態では、着信シチュエーションとして、子供が親の言うことを聞かない時、子供が寝ない時、子供が歯磨きをしない時、子供が片付けをしない時、子供が痛くて泣きやまない時、子供が薬を飲まない時等の複数のシチュエーションを想定した着信シチュエーションがあらかじめ用意されている。
【００１９】
図２に示す着信シチュエーション選択画面では、画面上部に仮想電話着信アプリケーションのアプリケーション名が表示され、その下のボタン配置領域に、上述した着信シチュエーションを選択するための着信シチュエーション選択ボタンが配置されている。図２に示す例では、着信シチュエーション選択ボタンとして、「言うことを聞かない時」ボタン２ａと、「寝ない時」ボタン２ｂと、「歯磨きをしない時」ボタン２ｃと、「お片付けをしない時」ボタン２ｄと、「痛くて泣きやまない時」ボタン２ｅと、「お薬を飲まない時」ボタン２ｆとが表示されている。
【００２０】
本実施の形態では、着信シチュエーション選択画面に表示された各ボタンに応じた着信シチュエーションにおいて、子供のわがままを抑えたいと考えるユーザ、例えば、両親は、着信シチュエーション選択画面上で現在の着信シチュエーションに応じた着信シチュエーション選択ボタンにタッチすることにより、子供にわがままをやめさせる効果が期待できる仮想的な着信を指示することができる。
【００２１】
制御装置１０４は、着信シチュエーション選択画面上でいずれかの着信シチュエーション選択ボタンがタッチされたことを検出した場合には、タッチされたボタンに基づいて着信シチュエーションを特定し、特定した着信シチュエーションに基づいて、子供にわがままをやめさせる効果が期待できる仮想的な着信のための処理を行う。以下、子供にわがままをやめさせる効果が期待できる仮想的な着信の内容、および制御装置１０４で実行される仮想的な着信のための処理について説明する。なお、以下の説明では、着信を指示するユーザとして親を想定し、着信時に応答するユーザとして子供を想定して、着信を指示するユーザを着信指示ユーザ、着信時に応答するユーザを応答ユーザと呼んで、両者を区別する。
【００２２】
本実施の形態では、それぞれの着信シチュエーションごとに、疑似的な着信画面、疑似的な通話画面、および疑似的な通話音声を出力させることにより、仮想的な着信を行う。このために、あらかじめ各着信シチュエーションに関連付けて、疑似的な着信画面を表示させるための画像データ（以下、「着信時表示データ」と呼ぶ）と、疑似的な通話画面を表示させるための画像データ（以下、「通話時表示データ」と呼ぶ）と、疑似的な通話音声を出力させるための通話音声データとが、上述した不揮発性のメモリに記録されている。これらのデータは、仮想電話着信アプリケーションのプログラムデータとともに提供される。
【００２３】
なお、疑似的な着信画面や疑似的な通話画面は、実際の着信画面や通話画面と見間違えるほど正確に再現したものを用い、また、通話音声データは、話し方や間合いの取り方などが実際の会話と同様となるように録音をしておけば、後述する仮想的な着信処理において、応答ユーザに、仮想的な着信であると気づかせず、本当に着信があったものと思わせることができる。
【００２４】
制御装置１０４は、着信シチュエーション選択画面上でいずれかの着信シチュエーション選択ボタンがタッチされたことを検出した場合には、タッチされたボタンに基づいて着信シチュエーションを特定し、特定した着信シチュエーションに関連付けて記録されている着信時表示データ、通話時表示データ、通話音声データをメモリから読み出して、仮想的な着信のための処理を実行する。以下、図３〜図８を用いて具体的に説明する。
【００２５】
図３は、着信指示ユーザによって「言うことを聞かない時」ボタン２ａがタッチされたときに実行される処理において、タッチパネル１０１に表示される着信画面と通話画面の一例を示した図である。本実施の形態では、子供が言うことを聞かない着信シチュエーションにおいては、言うことを聞かない子供に対して、子供が恐怖心を抱く「あかおに」から着信があり、応答ユーザが着信に応答すると、「あかおに」が言うことを聞くように話しかけてくれることにより、しつけサポートを行う例について説明する。
【００２６】
制御装置１０４は、着信指示ユーザによって「言うことを聞かない時」ボタン２ａがタッチされたことを検出した場合には、スピーカー１０５を介してあらかじめ設定された着信音を出力するとともに、図３（ａ）に示す着信画面をタッチパネル１０１に表示する。この着信画面には、電話がかかってきた相手をイメージさせるキャラクターとして「あかおに」が描かれた着信時表示データと、「応答」ボタン３ａと、「拒否」ボタン３ｂとが表示されている。これによって、応答ユーザに、あたかも本当に「あかおに」から電話がかかってきたように思わせることができる。
【００２７】
着信指示ユーザまたは応答ユーザは、着信を拒否する場合には、着信画面上で「拒否」ボタン３ｂにタッチする。制御装置１０４は、着信画面上で「拒否」ボタン３ｂがタッチされたことを検出した場合には、タッチパネル１０１の表示を図２に示した着信シチュエーション選択画面に戻す。また、制御装置１０４は、出力中の着信音を停止する。
【００２８】
一方、応答ユーザは、着信に応答する場合には、着信画面上で「応答」ボタン３ａにタッチする。制御装置１０４は、着信画面上で「応答」ボタン３ａがタッチされたことを検出した場合には、上述したように、「言うことを聞かない時」ボタン２ａに対応する着信シチュエーションに関連付けてあらかじめメモリに記録されている通話音声データを読み出して再生する。これによって、スピーカー１０５から子供が言うことを聞かない着信シチュエーションに適した通話音声データが出力される。この通話音声データとしては、「あかおに」が迫力満点のおそろしい声で叱ってくれるなど、子供に恐怖心を持たせて言うことを聞くように仕向ける内容のメッセージが録音された音声データとすれば、これを聞いた応答ユーザは、親の言うことを聞くことが期待できる。
【００２９】
また、制御装置１０４は、通話音声データの再生開始とともに、図３（ｂ）に示す通話画面をタッチパネル１０１に表示する。この通話画面には、通話相手をイメージさせるキャラクターとして「あかおに」が描かれた通話時表示データと、「通話を終了」ボタン３ｃとが表示されている。これによって、応答ユーザに、あたかも本当に「あかおに」と会話をしているように思わせることができる。
【００３０】
その後、制御装置１０４は、通話音声データの再生が進行するに伴って、通話画面に表示させる通話時表示データを、図３（ｃ）、図３（ｄ）、図３（ｅ）、図３（ｆ）の順で変化させてアニメーション表示する。これによって、「あかおに」に動き持たせて、よりリアル性を高めることができる。なお、このアニメーション表示を行うために、例えば、あらかじめ決められたタイミングで画像データを切り替えて表示させるアニメーションデータを通話時表示データとして記録しておき、制御装置１０４は、通話音声データの再生開始とともに、通話画面上でこのアニメーションデータの再生を開始するようにすればよい。
【００３１】
あるいは、１つの着信シチュエーションに対して複数の画像データを通話時表示データとして記録しておき、通話画面における通話時表示データの切り替えタイミングを、あらかじめ設定しておくようにしてもよい。例えば、通話音声データの再生から５秒後に図３（ｂ）に示す通話画面から図３（ｃ）に示す通話画面に切り替え、さらに１０秒後に図３（ｄ）に示す通話画面に切り替えるといったように、その切り替えタイミングを示す情報を、通話音声データに関連付けて記録しておき、制御装置１０４は、この切り替えタイミングを示す情報に基づいて、通話画面に表示させる通話時表示データを切り替えればよい。
【００３２】
制御装置１０４は、通話画面上でユーザによって「通話を終了」ボタン３ｃがタッチされたことを検出した場合には、通話音声データの再生を停止し、タッチパネル１０１の表示を図２に示した着信シチュエーション選択画面に戻す。
【００３３】
図４は、着信指示ユーザによって「寝ない時」ボタン２ｂがタッチされたときに実行される処理において、タッチパネル１０１に表示される着信画面と通話画面の一例を示した図である。本実施の形態では、子供が寝ない着信シチュエーションにおいては、なかなか寝ようとしない子供に対して、子供が恐怖心を抱く「ゆうれい」から着信があり、応答ユーザが着信に応答すると、「ゆうれい」が早く寝るように話しかけてくれることにより、しつけサポートを行う例について説明する。なお、図４において、「拒否」ボタン３ｂ，「通話を終了」ボタン３ｃがタッチされた場合の処理は、図３で上述した処理と同様のため、説明を省略する。
【００３４】
制御装置１０４は、着信指示ユーザによって「寝ない時」ボタン２ｂがタッチされたことを検出した場合には、スピーカー１０５を介してあらかじめ設定された着信音を出力するとともに、図４（ａ）に示す着信画面をタッチパネル１０１に表示する。この着信画面には、電話がかかってきた相手をイメージさせるキャラクターとして「ゆうれい」が描かれた着信時表示データと、「応答」ボタン３ａと、「拒否」ボタン３ｂとが表示されている。これによって、応答ユーザに、あたかも本当に「ゆうれい」から電話がかかってきたように思わせることができる。
【００３５】
制御装置１０４は、着信画面上で「応答」ボタン３ａがタッチされたことを検出した場合には、上述したように、「寝ない時」ボタン２ｂに対応する着信シチュエーションに関連付けてあらかじめメモリに記録されている通話音声データを読み出して再生する。これによって、スピーカー１０５から子供が寝ない着信シチュエーションに適した通話音声データが出力される。この通話音声データとしては、「ゆうれい」が早く寝ない子供の家を順番に回ると言って脅かす内容にするなど、子供に恐怖心を持たせて早く寝るように仕向ける内容のメッセージが録音された音声データとすれば、これを聞いた応答ユーザは、早く寝ることが期待できる。
【００３６】
また、制御装置１０４は、通話音声データの再生開始とともに、通話時表示データが図４（ｂ）〜図４（ｆ）の順で変化する通話画面をタッチパネル１０１に表示する。この通話画面では、通話相手が「ゆうれい」であることをイメージさせるとともに、「ゆうれい」が徐々に近づいてくる印象を与えることができる内容の通話時表示データがアニメーション表示される。なお、この場合の通話時表示データのアニメーション表示の方法も図３で上述した通話画面におけるアニメーション表示の方法と同様である。
【００３７】
図５は、着信指示ユーザによって「歯磨きをしない時」ボタン２ｃがタッチされたときに実行される処理において、タッチパネル１０１に表示される着信画面と通話画面の一例を示した図である。本実施の形態では、子供が歯磨きをしない着信シチュエーションにおいては、歯磨きをしない子供に対して、同じように歯磨きが嫌いな子供である「ゆうくん」から着信があり、応答ユーザが着信に応答すると、「ゆうくん」が歯磨きをするように話しかけてくれることにより、しつけサポートを行う例について説明する。なお、図５においても、「拒否」ボタン３ｂ，「通話を終了」ボタン３ｃがタッチされた場合の処理は、図３で上述した処理と同様のため、説明を省略する。
【００３８】
制御装置１０４は、着信指示ユーザによって「歯磨きをしない時」ボタン２ｃがタッチされたことを検出した場合には、スピーカー１０５を介してあらかじめ設定された着信音を出力するとともに、図５（ａ）に示す着信画面をタッチパネル１０１に表示する。この着信画面には、電話がかかってきた相手をイメージさせるキャラクターとして「ゆうくん」が描かれた着信時表示データと、「応答」ボタン３ａと、「拒否」ボタン３ｂとが表示されている。これによって、応答ユーザに、あたかも本当に「ゆうくん」から電話がかかってきたように思わせることができる。
【００３９】
制御装置１０４は、着信画面上で「応答」ボタン３ａがタッチされたことを検出した場合には、上述したように、「歯磨きをしない時」ボタン２ｃに対応する着信シチュエーションに関連付けてあらかじめメモリに記録されている通話音声データを読み出して再生する。これによって、スピーカー１０５から子供が歯磨きをしない着信シチュエーションに適した通話音声データが出力される。この通話音声データとしては、「ゆうくん」が、面倒くさがって歯磨きをしないと虫歯になってしまうことを教えてくれるなど、子供が歯磨きをするように仕向ける内容のメッセージが録音された音声データとすれば、これを聞いた応答ユーザは、歯磨きをすることが期待できる。
【００４０】
また、制御装置１０４は、通話音声データの再生開始とともに、通話時表示データが図５（ｂ）〜図５（ｆ）の順で変化する通話画面をタッチパネル１０１に表示する。この通話画面では、通話相手が「ゆうくん」であることをイメージさせるとともに、歯を磨かないと虫歯になってしまうことを印象付ける内容の通話時表示データがアニメーション表示される。なお、この場合のアニメーション表示の方法も図３で上述した通話画面におけるアニメーション表示の方法と同様である。
【００４１】
図６は、着信指示ユーザによって「お片付けをしない時」ボタン２ｄがタッチされたときに実行される処理において、タッチパネル１０１に表示される着信画面と通話画面の一例を示した図である。本実施の形態では、子供が片付けをしない着信シチュエーションにおいては、片付けをしない子供に対して、「ささきさん」から着信があり、応答ユーザが着信に応答すると、「ささきさん」が片付けをするように話しかけてくれることにより、しつけサポートを行う例について説明する。なお、図６においても、「拒否」ボタン３ｂ，「通話を終了」ボタン３ｃがタッチされた場合の処理は、図３で上述した処理と同様のため、説明を省略する。
【００４２】
制御装置１０４は、着信指示ユーザによって「お片付けをしない時」ボタン２ｄがタッチされたことを検出した場合には、スピーカー１０５を介してあらかじめ設定された着信音を出力するとともに、図６（ａ）に示す着信画面をタッチパネル１０１に表示する。この着信画面には、電話がかかってきた相手をイメージさせるキャラクターとして「ささきさん」が描かれた着信時表示データと、「応答」ボタン３ａと、「拒否」ボタン３ｂとが表示されている。これによって、応答ユーザに、あたかも本当に「ささきさん」から電話がかかってきたように思わせることができる。
【００４３】
制御装置１０４は、着信画面上で「応答」ボタン３ａがタッチされたことを検出した場合には、上述したように、「お片付けをしない時」ボタン２ｄに対応する着信シチュエーションに関連付けてあらかじめメモリに記録されている通話音声データを読み出して再生する。これによって、スピーカー１０５から子供が片付けをしない着信シチュエーションに適した通話音声データが出力される。この通話音声データとしては、「ささきさん」が、片付けをしない子供には蜂を呼び寄せてお仕置きをするという内容にするなど、子供が片付けをするように仕向ける内容のメッセージが録音された音声データとすれば、これを聞いた応答ユーザは、片付けをすることが期待できる。
【００４４】
また、制御装置１０４は、通話音声データの再生開始とともに、通話時表示データが図６（ｂ）〜図６（ｄ）の順で変化する通話画面をタッチパネル１０１に表示する。この通話画面では、「ささきさん」が呼び寄せた蜂が徐々に近づいてくる印象を与える内容の通話時表示データがアニメーション表示される。なお、この場合のアニメーション表示の方法も図３で上述した通話画面におけるアニメーション表示の方法と同様である。
【００４５】
図７は、着信指示ユーザによって「痛くて泣きやまない時」ボタン２ｅがタッチされたときに実行される処理において、タッチパネル１０１に表示される着信画面と通話画面の一例を示した図である。本実施の形態では、子供が痛くて泣きやまない着信シチュエーションにおいては、泣きやまない子供に対して、「きゅうきゅうたいいん」から着信があり、応答ユーザが着信に応答すると、「きゅうきゅうたいいん」が泣きやむように話しかけてくれることにより、しつけサポートを行う例について説明する。なお、図７においても、「拒否」ボタン３ｂ，「通話を終了」ボタン３ｃがタッチされた場合の処理は、図３で上述した処理と同様のため、説明を省略する。
【００４６】
制御装置１０４は、着信指示ユーザによって「痛くて泣きやまない時」ボタン２ｅがタッチされたことを検出した場合には、スピーカー１０５を介してあらかじめ設定された着信音を出力するとともに、図７（ａ）に示す着信画面をタッチパネル１０１に表示する。この着信画面には、電話がかかってきた相手をイメージさせるキャラクターとして「きゅうきゅうたいいん」が描かれた着信時表示データと、「応答」ボタン３ａと、「拒否」ボタン３ｂとが表示されている。これによって、応答ユーザに、あたかも本当に「きゅうきゅうたいいん」から電話がかかってきたように思わせることができる。
【００４７】
制御装置１０４は、着信画面上で「応答」ボタン３ａがタッチされたことを検出した場合には、上述したように、「痛くて泣きやまない時」ボタン２ｅに対応する着信シチュエーションに関連付けてあらかじめメモリに記録されている通話音声データを読み出して再生する。これによって、スピーカー１０５から子供が痛くて泣きやまない着信シチュエーションに適した通話音声データが出力される。この通話音声データとしては、「きゅうきゅうたいいん」が、直ちに救急車出動の手配をして、家まで迎えに来てくれるという内容にするなど、子供がすぐに泣きやむように仕向ける内容のメッセージが録音された音声データとすれば、これを聞いた応答ユーザは、すぐに泣きやむことが期待できる。
【００４８】
また、制御装置１０４は、通話音声データの再生開始とともに、通話時表示データが図７（ｂ）、図７（ｃ）の順で変化する通話画面をタッチパネル１０１に表示する。この通話画面では、通話相手が「きゅうきゅうたいいん」であることをイメージさせるとともに、「きゅうきゅうたいいん」が本当に救急車を手配したことを印象付ける内容の通話時表示データがアニメーション表示される。なお、この場合のアニメーション表示の方法も図３で上述した通話画面におけるアニメーション表示の方法と同様である。
【００４９】
図８は、着信指示ユーザによって「お薬を飲まない時」ボタン２ｆがタッチされたときに実行される処理において、タッチパネル１０１に表示される着信画面と通話画面の一例を示した図である。本実施の形態では、子供が薬を飲まない着信シチュエーションにおいては、薬を飲まない子供に対して、「おいしゃさん」から着信があり、応答ユーザが着信に応答すると、「おいしゃさん」が薬を飲むように話しかけてくれることにより、しつけサポートを行う例について説明する。なお、図８においても、「拒否」ボタン３ｂ，「通話を終了」ボタン３ｃがタッチされた場合の処理は、図３で上述した処理と同様のため、説明を省略する。
【００５０】
制御装置１０４は、着信指示ユーザによって「お薬を飲まない時」ボタン２ｆがタッチされたことを検出した場合には、スピーカー１０５を介してあらかじめ設定された着信音を出力するとともに、図８（ａ）に示す着信画面をタッチパネル１０１に表示する。この着信画面には、電話がかかってきた相手をイメージさせるキャラクターとして「おいしゃさん」が描かれた着信時表示データと、「応答」ボタン３ａと、「拒否」ボタン３ｂとが表示されている。これによって、応答ユーザに、あたかも本当に「おいしゃさん」から電話がかかってきたように思わせることができる。
【００５１】
制御装置１０４は、着信画面上で「応答」ボタン３ａがタッチされたことを検出した場合には、上述したように、「お薬を飲まない時」ボタン２ｆに対応する着信シチュエーションに関連付けてあらかじめメモリに記録されている通話音声データを読み出して再生する。これによって、スピーカー１０５から子供が薬を飲まない着信シチュエーションに適した通話音声データが出力される。この通話音声データとしては、「おいしゃさん」が、薬の代わりに注射をしに来てくれるという内容にするなど、子供がすぐに薬を飲むように仕向ける内容のメッセージが録音された音声データとすれば、これを聞いた応答ユーザは、すぐに薬を飲むことが期待できる。
【００５２】
また、制御装置１０４は、通話音声データの再生開始とともに、通話時表示データが図８（ｂ）〜図８（ｄ）の順で変化する通話画面をタッチパネル１０１に表示する。この通話画面では、通話相手が「おいしゃさん」であることをイメージさせるとともに、薬を飲まないと病気がひどくなってしまうことを印象付ける内容の通話時表示データがアニメーション表示される。なお、この場合のアニメーション表示の方法も図３で上述した通話画面におけるアニメーション表示の方法と同様である。
【００５３】
次に、図２に示す着信シチュエーション選択画面に配置されているボタン２ｇとボタン２ｈがタッチされた場合の処理について説明する。ボタン２ｇとボタン２ｈは、着信シチュエーション選択画面のページの切り替え指示を受け付けるためのボタンである。例えば、図２に示した着信シチュエーション選択ボタン２ａ〜２ｆに対応する着信シチュエーション以外にも着信シチュエーションがあり、それらを選択するための着信シチュエーション選択ボタンの配置が必要な場合には、着信シチュエーション選択画面は複数ページに分かれる。この場合、ユーザは、ボタン２ｇにタッチすることにより、前のページへの切り替えを指示することができ、ボタン２ｈにタッチすることにより、次のページへの切り替えを指示することができる。制御装置１０４は、ユーザによるボタン２ｇまたはボタン２ｈのタッチを検出して、タッチされたボタンに応じたページの切り替え処理を行う。
【００５４】
図９は、本実施の形態における仮想的な着信処理の流れを示すフローチャートである。図９に示す処理は、ユーザによって仮想電話着信アプリケーションの実行が指示されると起動するプログラムとして、制御装置１０４によって実行される。
【００５５】
ステップＳ１０において、制御装置１０４は、タッチパネル１０１に図２に示した着信シチュエーション選択画面を表示する。その後、ステップＳ２０へ進む。
【００５６】
ステップＳ２０では、制御装置１０４は、ユーザによって、タッチパネル１０１上であらかじめ設定された仮想電話着信アプリケーションを終了させるための操作が行われることにより、仮想電話着信アプリケーションの終了が指示されたか否かを判断する。ステップＳ２０で肯定判断した場合には。処理を終了する。これに対して、ステップＳ２０で肯定判断した場合には、ステップＳ３０へ進む。
【００５７】
ステップＳ３０では、制御装置１０４は、着信シチュエーション選択画面上でページ切り替えボタン、すなわちボタン２ｇまたはボタン２ｈがタッチされたか否かを判断する。ステップＳ３０で否定判断した場合には、後述するステップＳ５０へ進む。これに対した、ステップＳ３０で肯定判断した場合には、ステップＳ４０へ進む。
【００５８】
ステップＳ４０では、制御装置１０４は、上述したように、ユーザによるボタン２ｇまたはボタン２ｈのタッチを検出し、タッチされたボタンに応じて、着信シチュエーション選択画面のページの切り替え処理を行う。その後、ステップＳ５０へ進む。
【００５９】
ステップＳ５０では、制御装置１０４は、着信シチュエーション選択画面上で上述した着信シチュエーション選択ボタン２ａ〜２ｆのいずれかがタッチされたか否かを判断する。ステップＳ５０で否定判断した場合には、ステップＳ２０へ戻る。これに対して、ステップＳ５０で肯定判断した場合には、ステップＳ６０へ進む。
【００６０】
ステップＳ６０では、制御装置１０４は、上述したように、ステップＳ５０でタッチを検出したボタンに基づいて着信シチュエーションを特定する。その後、ステップＳ７０へ進む。
【００６１】
ステップＳ７０では、制御装置１０４は、ステップＳ６０で特定した着信シチュエーションに関連付けて記録されている着信時表示データをメモリから呼び出して、該着信時表示データを表示した着信画面をタッチパネル１０１に表示させる。また、制御装置１０４は、併せてスピーカー１０５を介してあらかじめ設定された着信音を出力する。その後、ステップＳ８０へ進む。
【００６２】
ステップＳ８０では、制御装置１０４は、着信画面上で「拒否」ボタン３ｂがタッチされたか否かを判断する。ステップＳ８０で肯定判断した場合には、ステップＳ９０へ進み、制御装置１０４は、着信音を停止して、ステップＳ１０へ戻る。
【００６３】
一方、ステップＳ８０で否定判断した場合には、ステップＳ１００へ進み、制御装置１０４は、着信画面上で「応答」ボタン３ａがタッチされたか否かを判断する。ステップＳ１００で否定判断した場合には、ステップＳ８０へ戻る。これに対して、ステップＳ１００で肯定判断した場合には、ステップＳ１１０へ進む。
【００６４】
ステップＳ１１０では、制御装置１０４は、上述したように、ステップＳ６０で特定した着信シチュエーションに関連付けて記録されている通話音声データをメモリから読み出して再生する。これによって、スピーカー１０５から着信シチュエーションに適した通話音声データが出力される。その後、ステップＳ１２０へ進む。
【００６５】
ステップＳ１２０では、制御装置１０４は、上述したように、ステップＳ６０で特定した着信シチュエーションに関連付けて記録されている通話時表示データをメモリから呼び出して、該通話時表示データを表示した通話画面をタッチパネル１０１に表示させる。このとき、制御装置１０４は、上述したように通話画面上の通話時表示データをアニメーション表示させる。その後、ステップＳ１３０へ進む。
【００６６】
ステップＳ１３０では、制御装置１０４は、通話画面上でユーザによって「通話を終了」ボタン３ｃがタッチされたか否かを判断する。ステップＳ１３０で肯定判断した場合には、ステップＳ１４０へ進み、制御装置１０４は、通話音声データの再生を停止する。その後、ステップＳ１０へ戻る。
【００６７】
これに対して、ステップＳ１３０で否定判断した場合には、ステップＳ１５０へ進む。ステップＳ１５０では、制御装置１０４は、通話音声データの再生が終了したか否かを判断する。ステップＳ１５０で否定判断した場合には、ステップＳ１３０へ戻る。これに対して、ステップＳ１５０で肯定判断した場合には、ステップＳ１０へ戻る。
【００６８】
以上説明した本実施の形態によれば、以下のような作用効果を得ることができる。
（１）制御装置１０４は、複数の着信シチュエーションを一覧表示した着信シチュエーション選択画面をタッチパネル１０１へ出力し、着信シチュエーション選択画面上で、着信指示ユーザからいずれか１つの着信シチュエーションの選択を受け付けることにより、選択された着信シチュエーションに応じた仮想的な電話の着信指示を受け付け、仮想的な電話の着信指示を受け付けた場合に着信通知を行うようにした。その後、応答ユーザから着信に対する応答指示を受け付け、応答指示を受け付けたときに、あらかじめメモリに記録されている通話音声データの中から、着信シチュエーションに応じた通話音声データを読み出して出力するようにした。これによって、着信指示ユーザからの指示に基づいて、着信シチュエーションに適した内容の仮想的な着信、および仮想的な通話を提供することができる。
【００６９】
（２）通話音声データは、それぞれの着信シチュエーションに関連付けてメモリに記録されており、制御装置１０４は、着信指示を受け付けた着信シチュエーションに関連付けて記録されている通話音声データをメモリから読み出して再生するようにした。これによって、着信シチュエーションに適した内容の通話音声データをあらかじめ準備しておけば、応答ユーザに対して、着信シチュエーションに合った内容の音声を聞かせることができる。
【００７０】
（３）制御装置１０４は、あらかじめメモリに記録されている着信時表示データの中から、着信が指示された着信シチュエーションに応じた着信時表示データを読み出し、該着信時表示データを表示した着信画面をタッチパネル１０１に表示するようにした。これによって、応答ユーザに対して、着信時表示データに表示された相手から、あたかも本当に着信があったかのように思わせることができる。
【００７１】
（４）着信画面には着信時表示データとともに、ユーザからの応答指示を受け付けるための応答ボタン３ａが表示され、制御装置１０４は、応答ユーザによる応答ボタン３ａのタッチを検出したときに、応答ユーザによる応答指示を受け付けるようにした。このように、応答ユーザに通常の着信時と同じ操作で仮想的な着信に応答させることにより、よりリアル性を高めた着信とすることができる。
【００７２】
（５）制御装置１０４は、通話音声データの出力を開始するとともに、あらかじめメモリに記録されている通話時表示データの中から、着信指示を受け付けた着信シチュエーションに応じた通話時表示データを読み出し、通話画面上に表示するようにした。これによって、応答ユーザに対して、あたかも通話時表示データに表示された通話相手と本当に会話をしているかのように感じさせることができる。
【００７３】
（６）制御装置１０４は、通話時表示データをアニメーション表示させるようにした。これによって、通話時表示データに動きを持たせて、よりリアル性を高めることができる。
【００７４】
―変形例―
なお、上述した実施の形態の仮想電話着信装置は、以下のように変形することもできる。
（１）上述した実施の形態では、制御装置１０４は、着信シチュエーション選択画面上で着信シチュエーション選択ボタン２ａ〜２ｆのいずれかがタッチされたことを検出した場合には、タッチされたボタンに応じた着信時表示データを表示させた着信画面をタッチパネル１０１に表示させるとともに、スピーカー１０５を介してあらかじめ設定された着信音を出力することにより、着信指示ユーザからの指示に基づいて、応答ユーザに宛てた仮想的な着信を行う例について説明した。しかしながら、着信指示ユーザは、着信指示を行ってから仮想的な着信があるまでの待機時間を設定できるようにしてもよい。例えば、制御装置１０４は、着信指示ユーザからの指示に基づいて、仮想的な着信を行うまでの待機時間の設定を受け付けるためのタイマ設定画面をタッチパネル１０１に表示させ、該タイマ設定画面上で着信指示ユーザによる待機時間の指定を受け付けるようにすればよい。
【００７５】
図１０は、タイマ設定画面の一例を示す図である。着信指示ユーザは、着信シチュエーション選択画面に表示された不図示のタイマ設定画面呼び出しボタンにタッチすることにより、このタイマ設定画面をタッチパネル１０１に表示させることができるものとする。図１０に示すタイマ設定画面には、設定対象シチュエーション選択用リストボックス１０ａと、待機時間設定ボタン１０ｂ〜１０ｄと、「ＳＥＴ」ボタン１０ｅと、「Ｂａｃｋ」ボタン１０ｆとが表示されている。制御装置１０４は、「Ｂａｃｋ」ボタン１０ｆがタッチされたことを検出した場合には、タッチパネル１０１の表示を図２に示した着信シチュエーション選択画面に戻す。
【００７６】
設定対象シチュエーション選択用リストボックス１０ａは、着信シチュエーションを選択するためのリストボックスであり、着信指示ユーザは、設定対象シチュエーション選択用リストボックス１０ａにタッチして着信シチュエーションを一覧表示させ、その中から待機時間を設定して着信指示を行いたい着信シチュエーションを選択する。
【００７７】
その後、着信指示ユーザは、待機時間として１０秒を設定するための待機時間設定ボタン１０ｂ、２０秒を設定するための待機時間設定ボタン１０ｃ、３０秒を設定するための待機時間設定ボタン１０ｄのうち、設定する待機時間に応じたボタンを選択してタッチする。制御装置１０４は、待機時間設定ボタン１０ｂ〜１０ｄのうち、着信指示ユーザによってタッチされたボタンにチェックマークを表示して、現在の選択状況を示す。図１０に示す例では、１０秒後を設定するための待機時間設定ボタン１０ｂがタッチされた例を示している。
【００７８】
着信指示ユーザは、待機時間設定ボタン１０ｂ〜１０ｄのいずれかをタッチして待機時間を選択した後に、「ＳＥＴ」ボタン１０ｅにタッチして、設定対象シチュエーション選択用リストボックス１０ａで選択した着信シチュエーションを対象として、待機時間設定ボタン１０ｂ〜１０ｄで選択した時間を待機時間に設定した着信指示を行う。
【００７９】
制御装置１０４は、着信指示ユーザによって「ＳＥＴ」ボタン１０ｅがタッチされたことを検出した場合には、設定対象シチュエーション選択用リストボックス１０ａで選択された着信シチュエーションと、待機時間設定ボタン１０ｂ〜１０ｄを用いて設定された待機時間を特定するとともに、内部時計を用いた計時を開始する。そして、制御装置１０４は、内部時計を用いた計時時間が、設定された待機時間になったときに、上述した着信シチュエーションに応じた仮想的な着信処理を開始する。
【００８０】
着信指示ユーザが着信シチュエーション選択ボタンにタッチしたときに、すぐに仮想的な着信があると、応答ユーザに仮想電話着信装置１００を渡す前に電話がかかってきてしまい、応答ユーザに不自然な印象を与えてしまう可能性があるが、この変形例のように、待機時間を設定できるようにすれば、着信指示ユーザが仮想電話着信装置１００を操作してから仮想的な着信があるまでに時間があるため、応答ユーザは、誰も操作していない仮想電話着信装置１００に着信があったことを見て、本当に電話がかかってきたように感じる可能性が高いため、しつけサポートの効果を上げることができる。
【００８１】
なお、図１０の例では、着信指示は、待機時間を１０秒、２０秒、３０秒の中から選択できるようにしたが、待機時間の設定方法はこれに限定されない。例えば、１０分後、３０分後、１時間後、５時間後など、待機時間の選択肢を増やしてもよい。また、着信指示ユーザが待機時間を直接入力できるように入力欄を設け、制御装置１０４は、該入力欄に入力された時間を待機時間として設定するようにしてもよい。
【００８２】
また、着信指示ユーザは、上述した待機時間ではなく、ユーザが仮想的な着信を希望する時刻を任意に設定できるようにしてもよい。例えば、着信指示ユーザは、子供を２１：００までに寝かせたい場合には、着信シチュエーションとして「子供が寝ない時」を選択するとともに、着信時刻を２１：００に設定する。この場合、制御装置１０４は、指定された時刻に上述した「寝ない時」ボタン２ｂがタッチされた場合と同様の仮想的な着信処理を実行するようにすればよい。これによって、着信ユーザは、あらかじめ時刻を設定して仮想的な着信の指示を行うことができる。
【００８３】
（２）上述した実施の形態では、子供のしつけをサポートするために、子供のわがままでありがちな複数の着信シチュエーションがあらかじめ用意されている例について説明した。しかしながら、この着信シチュエーションは、仮想電話着信アプリケーションのバージョンアップにより適宜追加を行うことができるようにしてもよい。また、仮想電話着信アプリケーションの提供者は、仮想電話着信アプリケーションをインストールしたユーザに対して新たな着信シチュエーションを個別に追加提供するようにし、ユーザは、追加提供された着信シチュエーションの中から好みの着信シチュエーションをダウンロードして追加できるようにしてもよい。例えば、ユーザは、子供が嘘をついた時、子供がお風呂に入ろうとしない時、子供が野菜を食べない時などの新規な着信シチュエーションの中から、希望する着信シチュエーションを選択して追加取得できるようにすればよい。なお、仮想電話着信アプリケーションの提供者は、新たな着信シチュエーションを無償で追加提供しても良いし、有償で追加提供するようにしてもよい。
【００８４】
制御装置１０４は、ユーザから着信シチュエーションの追加取得が指示された場合には、通信回線を介して接続された外部サーバから着信シチュエーションの追加のために必要なデータとして、上述した着信時表示データ、通話時表示データ、通話音声データとを受信して、これらを関連付けて不揮発性のメモリに記録する。また、着信シチュエーション選択画面に追加取得された着信シチュエーションに対応する着信シチュエーション選択ボタンを追加する。
【００８５】
このように、着信シチュエーションを追加取得できるようにすれば、提供者側からの新たな着信シチュエーションの提供を受けて、様々なシチュエーションに対応可能なアプリケーションにバージョンアップさせていくことができる。また、既に用意されている着信シチュエーションであっても、着信時表示データ、通話時表示データ、通話音声データを変更した別バージョンを提供するようにすれば、応答ユーザが既存のバージョンに慣れてしまって効果が無くなった場合でも、新たなバージョンを追加して再度の効果を期待することができる。
【００８６】
（３）上述した実施の形態では、着信シチュエーション選択画面は図２に示した画面である例について説明した。しかしながら、着信シチュエーション選択画面には、仮想電話着信アプリケーションが有する種々の機能を呼び出すためのボタンを配置するようにしてもよい。例えば、仮想電話着信アプリケーションの基本的な使用方法と各ボタンの機能を紹介するチュートリアル画面を呼び出すためのボタン、仮想電話着信アプリケーションに関する問い合わせ先やよくある質問を掲載した画面を呼び出すためのボタン、仮想電話着信アプリケーションを再インストールした際に、再インストール前に追加購入した着信シチュエーションを一括で復元する機能を呼び出すためのボタン等を配置してもよい。
【００８７】
（４）上述した実施の形態では、制御装置１０４は、通話音声データの再生が進行するに伴って、通話画面に表示させる通話時表示データを、あらかじめ設定された時間ごとに切り替えて表示することによりアニメーション表示させる例について説明した。制御装置１０４は、着信画面においても、着信時表示データをアニメーション表示させるようにしてもよい。また、通話時表示データまたは着信時表示データをアニメーション表示させずに静止画としてもよい。
【００８８】
（５）上述した実施の形態では、仮想電話着信アプリケーションでは、子供のわがままでありがちな複数の着信シチュエーションをあらかじめ用意して、子供のしつけをサポートする例について説明した。しかしながら、仮想電話着信アプリケーションは、着信指示ユーザが着信指示をし、それに基づく仮想的な着信に対して応答ユーザが応答することにより、応答ユーザに対する効果が見込めるシチュエーションに対応させれば、子供のしつけをサポートする以外の用途にも使用することができる。
【００８９】
（６）上述した実施の形態では、着信時表示データ、通話時表示データ、通話音声データは、制御装置１０４が有する不揮発性のメモリ、すなわち仮想電話着信装置１００に内蔵された内部記録媒体に記録されている例について説明した。しかしながら、これらのデータを記録する電子媒体は内部記録媒体に限定されるものではない。例えば、仮想電話着信装置１００が有する不図示のメモリスロットに挿入されたメモリカードなどの仮想電話着信装置１００に装着可能な外部記録媒体に記録してもよい。あるいは、通信回線を介して接続されたサーバのハードディスクドライブのような、外部装置が備える記録装置に記録してもよい。
【００９０】
データの記録先が外部記録媒体である場合には、制御装置１０４は、外部記録媒体にアクセスし、データを読み出して取得すればよい。また、データの記録先が外部装置が備える記録装置である場合には、制御装置１０４は、通信回線を介して外部装置にアクセスし、記録装置からデータをダウンロードして取得すればよい。なお、着信時表示データ、通話時表示データ、通話音声データは、全て同じ電子媒体に記録してもよいし、異なる電子媒体に記録するようにしてもよい。例えば、着信時表示データや通話時表示データといった画像データは内部記録媒体に記録し、通話音声データは外部装置が備える記録装置に記録するようにしてもよい。
【００９１】
（７）上述した実施の形態では、通話音声データは、話し方や間合いの取り方などが実際の会話と同様となるようにあらかじめ録音されたものが、仮想電話着信アプリケーションのプログラムデータとともに提供される例について説明した。しかしながら、通話音声データをユーザが任意に作成できるようにしてもよい。例えば、仮想電話着信アプリケーションに通話音声データの録音を行うための録音モードを設け、制御装置１０４は、着信指示ユーザによって録音モードに設定された場合には、マイク１０３を介した着信指示ユーザからの音声入力を受け付ける。着信指示ユーザは、想定する着信シチュエーションを指定した上で、該想定する着信シチュエーションに合った内容のメッセージを発話する。制御装置１０４は、マイク１０３を介して着信指示ユーザからの発話音声が入力された場合には、入力された音声データを通話音声データとし、これを着信指示ユーザによって指定された着信シチュエーションに関連付けてメモリに記録する。また、制御装置１０４は、指定された着信シチュエーションを選択するための着信シチュエーション選択ボタンを着信シチュエーション選択画面に追加する。これによって、着信指示ユーザは、仮想電話着信アプリケーションでは想定されていない着信シチュエーションを任意に追加することができる。
【００９２】
この場合、着信指示ユーザは、着信時表示データや通話時表示データも任意に作成して、追加した着信シチュエーションに関連付けられるようにしてもよい。あるいは、あらかじめ用意されている着信時表示データや通話時表示データの中から選択して、追加した着信シチュエーションに関連付けるようにしてもよい。
【００９３】
このように、着信指示ユーザが通話音声データを録音して作成できるようにした場合には、通話音声データは、着信指示ユーザ自身の声、または着信指示ユーザが発話を依頼できる知り合いの声によるものとなる。このため、仮想的な着信の相手の声が聞き慣れた声となってしまい、応答ユーザに仮想的な着信であることを気付かれてしまうおそれがある。この問題を解消するために、制御装置１０４は、マイク１０３を介して入力された着信指示ユーザの発話音声データを、所定のアルゴリズムで変換して通話音声データを生成するようにしてもよい。この音声データの変換のための処理は、公知のボイスチェンジャー等に搭載される処理を用いればよい。そして、制御装置１０４は、ボイスチェンジ後の音声データを通話音声データとしてメモリに記録すればよい。これによって、応答ユーザが聞き慣れた声で録音された音声データであっても、ボイスチェンジ機能を用いてボイスチェンジを行って、応答ユーザに仮想的な着信であることを気付かれないようにすることができる。
【００９４】
（８）上述した実施の形態では、通話音声データは、話し方や間合いの取り方などが実際の会話と同様となるようにあらかじめ録音されたデータとする例について説明した。しかしながら、着信シチュエーションに応じた音声であれば、効果音や音楽のデータを用いてもよい。例えば、子供に言うことをきかせるために、子供が怖がる可能性がある音、例えば雷の音や救急車の音等の効果音や、いかにも幽霊が出て来そうな音楽等を通話音声データとして用いてもよい。また、言うことをきかないと雷が落ちるという脅しの言葉の後に雷の効果音を挿入する等、会話と効果音を組み合わせてもよい。
【００９５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００９６】
１００  仮想電話着信装置
１０１  タッチパネル
１０２  通信モジュール
１０３  マイク
１０４  制御装置
１０５  スピーカー
【要約】      （修正有）【課題】ユーザからの指示を受け付けて、仮想的な電話の着信を行う。【解決手段】仮想電話着信装置１００は、複数の着信シチュエーションを一覧表示した選択画面を表示装置へ出力する着信シチュエーション選択画面出力手段と、前記選択画面上で、選択された着信シチュエーションに応じた仮想的な電話の着信指示を受け付ける着信指示受付手段と、着信指示受付手段によって、指示を受け付けた場合に、着信通知を行う着信通知手段と、着信通知手段による着信通知の後、ユーザから着信に対する応答指示を受け付ける応答指示受付手段と、応答指示受付手段によって応答指示を受け付けたときに、電子媒体に記録されている通話音声データの中から、着信指示受付手段で受け付けた着信シチュエーションに応じた通話音声データを取得する通話音声データ取得手段と、通話音声データ取得手段によって取得された通話音声データを出力する通話音声出力手段とを備える。【選択図】図１【図１】
0005485436.tif 000002
【図２】
0005485436.tif 000003
【図３】
0005485436.tif 000004
【図４】
0005485436.tif 000005
【図５】
0005485436.tif 000006
【図６】
0005485436.tif 000007
【図７】
0005485436.tif 000008
【図８】
0005485436.tif 000009
【図９】
0005485436.tif 000010
【図１０】
0005485436.tif 000011